(57)【要約】【課題】後段の画像処理を行う装置へ画像信号を伝送する際に画像信号に係る情報の損失を防止できるようにする。【解決手段】まず、カラーグレーディング装置からそのカラーグレーディング装置の画像処理の演算処理精度に関する情報を受信する。そして、本装置の画像処理に係る演算処理精度がカラーグレーディング装置の画像処理に係る演算処理精度より低く、かつ本装置の画像処理に係る演算処理精度のビット数が画像信号の伝送ビット幅より低く、さらに色調が補正された画像信号に負の値が発生している場合に、色調が補正された画像信号に対してオフセットを付加し、その画像信号およびオフセットに係る情報をカラーグレーディング装置に送信する。【選択図】図３
2015126448.tif 000002
【特許請求の範囲】
【請求項１】
所定の画像処理を行う外部装置とネットワークを介して接続された画像処理装置であって、
前記外部装置の画像処理に係る演算処理精度の情報を前記外部装置から受信する受信手段と、
前記受信手段によって受信された前記外部装置の画像処理に係る演算処理精度、前記画像処理装置の画像処理に係る演算処理精度、及び画像信号の伝送ビット幅に応じて、色調が補正された画像信号に対して所定の処理を施す画像処理手段と、
前記画像処理手段によって処理された画像信号を前記外部装置に送信する送信手段とを有することを特徴とする画像処理装置。
【請求項２】
所定の画像処理を行う外部装置とネットワークを介して接続された画像処理装置であって、
前記外部装置の画像処理に係る演算処理精度の情報を前記外部装置から受信する受信手段と、
前記受信手段によって受信された情報に基づいて、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低いか否かを判定する判定手段と、
前記判定手段による判定の結果、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低い場合に、色調が補正された画像信号に対してオフセットを付加する付加手段と、
前記付加手段によってオフセットが付加された画像信号を前記外部装置に送信するとともに、前記付加したオフセットの情報を前記外部装置に送信する送信手段とを有することを特徴とする画像処理装置。
【請求項３】
前記判定手段は、さらに前記色調が補正された画像信号に負の値が発生しているか否かを判定し、
前記判定手段による判定の結果、負の値が発生している場合に、前記付加手段は、前記色調が補正された画像信号に対してオフセットを付加することを特徴とする請求項２に記載の画像処理装置。
【請求項４】
前記オフセットの値は、前記画像処理装置の画像処理に係る演算処理精度、及び前記外部装置の画像処理に係る演算処理精度に基づいた値であることを特徴とする請求項２又は３に記載の画像処理装置。
【請求項５】
前記オフセットの値は、前記色調を補正するマトリクス処理の係数に基づいた値であることを特徴とする請求項２又は３に記載の画像処理装置。
【請求項６】
前記オフセットの値は、前記色調が補正された結果の画像信号の値域に基づいた値であることを特徴とする請求項２又は３に記載の画像処理装置。
【請求項７】
前記オフセットの値は、撮影を開始するとき、前記画像信号のフレームを入力したとき、又は前記オフセットを付加する前までの画像処理のパラメータが変化したときに決定された値であることを特徴とする請求項２〜６の何れか１項に記載の画像処理装置。
【請求項８】
前記送信手段は、前記画像信号に付加するオフセットの値が変化した場合に前記付加したオフセットの情報を前記外部装置に送信することを特徴とする請求項２〜７の何れか１項に記載の画像処理装置。
【請求項９】
所定の画像処理を行う外部装置とネットワークを介して接続された画像処理装置の画像処理方法であって、
前記外部装置の画像処理に係る演算処理精度の情報を前記外部装置から受信する受信工程と、
前記受信工程において受信された前記外部装置の画像処理に係る演算処理精度、前記画像処理装置の画像処理に係る演算処理精度、及び画像信号の伝送ビット幅に応じて、色調が補正された画像信号に対して所定の処理を施す画像処理工程と、
前記画像処理工程において処理された画像信号を前記外部装置に送信する送信工程とを有することを特徴とする画像処理方法。
【請求項１０】
所定の画像処理を行う外部装置とネットワークを介して接続された画像処理装置の画像処理方法であって、
前記外部装置の画像処理に係る演算処理精度の情報を前記外部装置から受信する受信工程と、
前記受信工程において受信された情報に基づいて、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低いか否かを判定する判定工程と、
前記判定工程における判定の結果、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低い場合に、色調が補正された画像信号に対してオフセットを付加する付加工程と、
前記付加工程においてオフセットが付加された画像信号を前記外部装置に送信するとともに、前記付加したオフセットの情報を前記外部装置に送信する送信工程とを有することを特徴とする画像処理方法。
【請求項１１】
所定の画像処理を行う外部装置とネットワークを介して接続された画像処理装置を制御するためのプログラムであって、
前記外部装置の画像処理に係る演算処理精度の情報を前記外部装置から受信する受信工程と、
前記受信工程において受信された前記外部装置の画像処理に係る演算処理精度、前記画像処理装置の画像処理に係る演算処理精度、及び画像信号の伝送ビット幅に応じて、色調が補正された画像信号に対して所定の処理を施す画像処理工程と、
前記画像処理工程において処理された画像信号を前記外部装置に送信する送信工程とをコンピュータに実行させることを特徴とするプログラム。
【請求項１２】
所定の画像処理を行う外部装置とネットワークを介して接続された画像処理装置を制御するためのプログラムであって、
前記外部装置の画像処理に係る演算処理精度の情報を前記外部装置から受信する受信工程と、
前記受信工程において受信された情報に基づいて、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低いか否かを判定する判定工程と、
前記判定工程における判定の結果、前記画像処理装置の画像処理に係る演算処理精度が前記外部装置の画像処理に係る演算処理精度より低く、かつ前記画像処理装置の画像処理に係る演算処理精度のビット数が画像信号の伝送ビット幅よりも低い場合に、色調が補正された画像信号に対してオフセットを付加する付加工程と、
前記付加工程においてオフセットが付加された画像信号を前記外部装置に送信するとともに、前記付加したオフセットの情報を前記外部装置に送信する送信工程とをコンピュータに実行させることを特徴とするプログラム。
【発明の詳細な説明】
【技術分野】
【０００１】
本発明は、特に、カラーグレーディング処理を行うために用いて好適な画像処理装置、画像処理方法及びプログラムに関する。
【背景技術】
【０００２】
従来、人物等の被写体を撮像して動画像データとして記録するデジタルビデオカメラ等の撮像装置が知られている。また、デジタルシネマなどの制作現場においては、カット編集を行うとともに、撮影した画像を所望の見た目に補正するカラーグレーディング処理を施すことが一般的である。このカラーグレーディング処理は、撮影後に編集スタジオなどにおいてカラーグレーディング装置により行われる。
【０００３】
その一方で、撮影現場において撮影時に大まかな仮カラーグレーディング処理を行っておき、撮影後に微調整として本カラーグレーディング処理を行うワークフローも用いられている。このように撮影時に撮影現場で仮カラーグレーディング処理を行っておくことにより、最終的な仕上がりの印象を撮影時に把握するとともに、撮影後に行う本カラーグレーディング処理の負荷を減らすことができる。
【０００４】
このようなワークフローでは、撮影時において、デジタルビデオカメラで記録する画像データについてはＲＡＷ画像データ等の情報量の多いフォーマットで記録しておく。そして、仮カラーグレーディング処理を行う際に、ガンマ処理を行うなど情報量が少なくなるように現像処理した画像信号を出力することが多い。また、デジタルビデオカメラからカラーグレーディング装置へ画像信号を伝送する際は、決められたビット幅に画像信号を収まるようにしなければならない。
【０００５】
そこで、決められたビット幅に画像信号を収めるようにする技術が例えば特許文献１に開示されている。特許文献１に開示されている技術では、画像信号が既定のビット幅（信号レベル）に収まるように、マトリクス処理等の画像処理前後の画像信号の値の重みづけ加算を行っている。これにより、画像信号のオーバーフローまたはアンダーフローを軽減することができる。
【先行技術文献】
【特許文献】
【０００６】
【特許文献１】特開２００８−２１９２７１号公報
【発明の概要】
【発明が解決しようとする課題】
【０００７】
一般に、デジタルビデオカメラにおいて目標の色に近づけるためにマトリクス処理を行う場合が多い。マトリクスの係数によっては、マトリクス処理によってＲＧＢ信号に負の値が発生する場合もあり、ｕｎｓｉｇｎｅｄのＲＧＢ信号で伝送する場合に、発生した負の値を送ることができない。一方、負の値を０にクリップして画像信号をｕｎｓｉｇｎｅｄの形式にしてから伝送すると、クリップした部分の画像信号の情報が失われ、後段のカラーグレーディング装置で負の値の部分の色のグレーディングを行うことができない。
【０００８】
また、特許文献１に記載の技術では、画像信号の値の重みづけ加算を行う際に、マトリクス等の画像処理前のオーバーフローまたはアンダーフロー付近の画像信号が使用されるため、画像処理後の画像信号に関する情報が失われてしまうという問題がある。
【０００９】
本発明は前述の問題点に鑑み、後段の画像処理を行う装置へ画像信号を伝送する際に画像信号に係る情報の損失を防止できるようにすることを目的としている。
【課題を解決するための手段】
【００１０】
本発明に係る画像処理装置は、所定の画像処理を行う外部装置とネットワークを介して接続された画像処理装置であって、前記外部装置の画像処理に係る演算処理精度の情報を前記外部装置から受信する受信手段と、前記受信手段によって受信された前記外部装置の画像処理に係る演算処理精度、前記画像処理装置の画像処理に係る演算処理精度、及び画像信号の伝送ビット幅に応じて、色調が補正された画像信号に対して所定の処理を施す画像処理手段と、前記画像処理手段によって処理された画像信号を前記外部装置に送信する送信手段とを有することを特徴とする。
【発明の効果】
【００１１】
本発明によれば、後段の画像処理を行う装置へ画像信号を伝送する際に画像信号に係る情報の損失を防止することができる。
【図面の簡単な説明】
【００１２】
【図１】本発明の実施形態に係る画像処理システムの構成例を示す図である。
【図２】本発明の実施形態に係るデジタルビデオカメラの内部構成例を示すブロック図である。
【図３】本発明の実施形態に係るデジタルビデオカメラにおける画像処理部の詳細な構成例を示すブロック図である。
【図４】本発明の実施形態に係るカラーグレーディング装置の内部構成例を示すブロック図である。
【図５】デジタルビデオカメラ側の通信部及び信号変換部による処理手順の一例を示すフローチャートである。
【図６】デジタルビデオカメラ側の信号変換部による変換処理の一例を説明するための図である。
【図７】カラーグレーディング側の通信部及び信号変換部による処理手順の一例を示すフローチャートである。
【図８】カラーグレーディング側でオフセットを減算する処理を説明するための図である。
【図９】カラーグレーディング側で行うレンジ変換処理を説明するための図である。
【発明を実施するための形態】
【００１３】
以下、本発明の実施形態について、図面を参照しながら説明する。
図１は、本実施形態に係る画像処理システムの構成例を示す図である。
図１に示すように、本実施形態の画像処理システムは、デジタルビデオカメラ１０１、カラーグレーディング装置１０２、及びモニタ１０３の３つの機器によってネットワークを介して構成されている。
【００１４】
デジタルビデオカメラ１０１は、被写体を撮像して画像信号を生成するとともに、生成した画像信号に対して所定の処理を行う。カラーグレーディング装置１０２は、デジタルビデオカメラ１０１から出力された画像信号に対してカラーグレーディング処理を行う。モニタ１０３は、カラーグレーディング装置１０２から出力された画像信号を入力してその画像を表示する。
【００１５】
次に、図２〜図４を参照しながらデジタルビデオカメラ１０１及びカラーグレーディング装置１０２の構成及び動作について説明する。
【００１６】
図２は、本実施形態に係るデジタルビデオカメラ１０１の内部構成例を示すブロック図である。
図２に示すように、本実施形態におけるデジタルビデオカメラ１０１は、光学系２０１、撮像素子２０２、Ａ／Ｄ変換部２０３、画像処理部２０４、記録部２０５、制御部２０６、操作部２０７、及び表示部２０８を備えている。
【００１７】
光学系２０１にはフォーカスレンズや絞り、シャッターが含まれている。この光学系２０１は、撮影時にはフォーカスレンズを駆動して被写体のピント合わせを行い、絞りやシャッターを制御することにより露光量の調節をする。撮像素子２０２は、光学系２０１において結像された被写体の光量を光電変換によって電気信号に変換するＣＣＤやＣＭＯＳ等の光電変換素子である。本実施形態では、撮像素子のカラー配列は原色ＲＧＢのベイヤー配列とする。
【００１８】
Ａ／Ｄ変換部２０３は、入力された電気信号をデジタル化する。Ａ／Ｄ変換部２０３から出力されるデジタル化された画像信号はベイヤー系列のＲＧＢ画像信号であり、ＲＡＷ画像データとして記録部２０５に記録される。また、ベイヤー系列のＲＧＢの画像信号は、画像処理部２０４にも入力され、画像処理部２０４は入力された画像信号に対してホワイトバランス処理、同時化処理、色補正処理、ガンマ処理、レンジ変換処理等を施す。そして、最終的にＲＧＢ３チャンネルの画像信号としてカラーグレーディング装置１０２へ伝送する。
【００１９】
制御部２０６は、デジタルビデオカメラ１０１全体の動作制御を行う。操作部２０７は、ユーザがデジタルビデオカメラ１０１に対して操作指示を行う操作部材である。表示部２０８は、例えばデジタルビデオカメラ１０１の背面に設置された液晶ディスプレイ等であり、撮影時の操作の補助を行うための画面や、カラーグレーディング装置１０２へ伝送される画像等を表示するものである。
【００２０】
図３は、図２に示した画像処理部２０４の詳細な構成例を示すブロック図である。
図３に示すように、本実施形態における画像処理部２０４は、ＷＢ処理部３０１、同時化部３０２、ガンマ処理部３０３、色補正部３０４、通信部３０５、及び信号変換部３０６を備えている。前述したようにＡ／Ｄ変換部２０３から出力される画像信号の１つは、ＲＡＷ画像データとして記録部２０５に記録される。そして、同じもう１つの画像信号は、画像処理部２０４において所定の処理が施される。
【００２１】
ＷＢ処理部３０１は、Ａ／Ｄ変換部２０３から出力された画像信号に対し、ＲＧＢそれぞれのホワイトバランスのゲインをかける。同時化部３０２は、ＷＢ処理部３０１から出力される画像信号に対して同時化処理を行い、ＲＧＢの３プレーンの画像信号を生成する。ガンマ処理部３０３は、同時化部３０２から出力された画像信号に対して、Ｒｅｃ．７０９等の規格に従ったガンマやログの特性を持つガンマをかける処理を行う。ガンマ処理は例えば１次元のＬＵＴ（Ｌｏｏｋ  Ｕｐ  Ｔａｂｌｅ）処理により行う。色補正部３０４は、ガンマ処理部３０３から出力された画像信号に対して３×３のマトリクス処理を行い、色調を補正する。
【００２２】
通信部３０５は、後述するレンジ情報、及びカラーグレーディング装置１０２の演算精度に関する情報の送受信を行う。信号変換部３０６は、後述する通信部３０５から受信した情報に基づいて所定の画像信号の変換を行い、外部のカラーグレーディング装置１０２に伝送する画像信号を生成する。
【００２３】
図４は、本実施形態に係るカラーグレーディング装置１０２の内部構成例を示すブロック図である。
図４に示すように本実施形態におけるカラーグレーディング装置１０２は、通信部４０１、信号変換部４０２、ＩＤＴ処理部４０３、操作部４０４、ＬＭＴ処理部４０５、ＲＲＴ変換部４０６、及びＯＤＴ変換部４０７を備えている。
【００２４】
通信部４０１は、後述するレンジ情報、及びカラーグレーディング装置１０２の演算精度に関する情報の送受信を行う。信号変換部４０２は、通信部４０１から受信したレンジ情報に基づいて、デジタルビデオカメラ１０１から入力された画像信号の変換を行い、変換後の画像信号をＩＤＴ処理部４０３へ送る。
【００２５】
ＩＤＴ（Ｉｎｐｕｔ  Ｄｅｖｉｃｅ  Ｔｒａｎｓｆｏｒｍ）処理部４０３は、入力された画像信号を、基準となるＲＧＢの画像信号に変換する。本実施形態では、基準となるＲＧＢの画像信号として、映画芸術科学アカデミー（ＡＭＰＡＳ）が提案しているＡＣＥＳ（Ａｃａｄｅｍｙ  Ｃｏｌｏｒ  Ｅｎｃｏｄｅ  Ｓｐｅｃｉｆｉｃａｔｉｏｎ）規格に従ったＡＣＥＳ−ＲＧＢ信号を用いる。このＡＣＥＳ−ＲＧＢ信号は、被写体の輝度に対してリニアであり、被写体に忠実な色再現特性を持っている。ＡＣＥＳ−ＲＧＢ信号へ変換する処理としては、デガンマ処理、色再現性の補正処理、及び色空間の変換処理が行われる。なお、ＡＣＥＳ−ＲＧＢ信号へ変換する際のパラメータは、デジタルビデオカメラ１０１の画像処理部２０４の処理特性及び撮影時の光源特性に応じて決定される。
【００２６】
操作部４０４は、ユーザがカラーグレーディング装置１０２に対し操作指示を行う操作部材である。ＬＭＴ（Ｌｏｏｋ  Ｍｏｄｉｆｉｃａｔｉｏｎ  Ｔｒａｎｓｆｏｒｍ）処理部４０５は、操作部４０４から入力される操作情報に基づいて、ＡＣＥＳ−ＲＧＢ信号に対してトーンカーブの調整やマトリクス処理のパラメータを決定し、これらの処理を行う。これにより、ユーザが所望する見た目になるような画像処理を行う。
【００２７】
ＲＲＴ（Ｒｅｆｅｒｅｎｃｅ  Ｒｅｎｄｅｒｉｎｇ  Ｔｒａｎｓｆｏｒｍ）変換部４０６は、ＡＣＥＳの規格に基づいて、入力された画像信号に対して基準となるフィルム調の見た目となるように画像処理を行う。ＯＤＴ（Ｏｕｔｐｕｔ  Ｄｅｖｉｃｅ  Ｔｒａｎｓｆｏｒｍ）変換部４０７は、入力された画像信号に対して、モニタ１０３の表示色域に収まるように変換を行う。例えば、接続されたモニタ１０３がＲｅｃ．７０９規格に対応したモニタである場合には、Ｒｅｃ．７０９の色域に収まるように入力信号を変換し、Ｒｅｃ．７０９規格のガンマ処理を施す。そして変換後の画像信号をモニタ１０３へ出力する。
【００２８】
以上のように、デジタルビデオカメラ１０１、カラーグレーディング装置１０２、及びモニタ１０３の連携により、ユーザが撮影時にモニタ１０３に表示された画像を見ながら、目的の見た目に近い仮カラーグレーディング処理を行うことが可能である。
【００２９】
次に、本実施形態のデジタルビデオカメラ１０１とカラーグレーディング装置１０２とで通信を行い、画像信号の伝送を行う処理について詳細に説明する。
【００３０】
図５は、本実施形態に係るデジタルビデオカメラ１０１の画像処理部２０４の通信部３０５及び信号変換部３０６による処理手順の一例を示すフローチャートである。
まず、図５のＳ５０１において、通信部３０５は、カラーグレーディング装置１０２からカラーグレーディング装置１０２の画像処理の演算処理精度に関する情報を受信するまで待機する。以下、演算処理精度をビット単位で示し、例えば演算処理精度が８ｂｉｔである場合は、画像信号の上位８ｂｉｔまでの計算精度が保証されていることを示す。また、演算処理精度が１０ｂｉｔである場合は、画像信号の上位１０ｂｉｔまでの計算精度が保証されていることを示す。
【００３１】
演算処理精度に関する情報を受信すると、次に、Ｓ５０２において、信号変換部３０６は、デジタルビデオカメラ１０１の画像処理部２０４の演算処理精度、及びカラーグレーディング装置１０２の演算処理精度を比較する。さらに、デジタルビデオカメラ１０１からカラーグレーディング装置１０２へ画像信号を伝送する際のビット幅を比較する。この比較の結果、カラーグレーディング装置１０２の演算処理精度のビット数、及び画像信号を伝送する際のビット幅が、いずれもデジタルビデオカメラ１０１の演算処理精度のビット数より大きい場合はＳ５０３へ進み、そうでない場合はＳ５０６へと進む。
【００３２】
Ｓ５０３においては、信号変換部３０６は、色補正部３０４によるマトリクス処理の結果、画像信号に負の値が発生するか否かを判定する。この判定の結果、負の値が発生する場合はＳ５０４へ進み、負の値が発生しなかった場合はＳ５０５へ進む。
【００３３】
Ｓ５０４においては、信号変換部３０６は、画像信号にオフセットを付加してカラーグレーディング装置１０２へ画像信号を送る。一方、Ｓ５０５においては、信号変換部３０６は、画像信号に対して何も処理を行わずにそのままの形式でカラーグレーディング装置１０２へ画像信号を送る。また、Ｓ５０６においては、信号変換部３０６は、画像信号に対してレンジ圧縮、あるいはクリップ処理を行い、カラーグレーディング装置１０２へ画像信号を送る。最後にＳ５０７において、通信部３０５は、付加したオフセットの値の情報及び画像信号のレンジ情報をカラーグレーディング装置１０２へ送る。
【００３４】
次に、図５のＳ５０２〜Ｓ５０７のそれぞれにおける詳細な動作について具体的な数値を用いて説明する。例えば、カラーグレーディング装置１０２の画像処理の演算処理精度が１０ｂｉｔであり、デジタルビデオカメラ１０１の画像処理の演算処理精度が８ｂｉｔであるものとする。そして、デジタルビデオカメラ１０１からカラーグレーディング装置１０２へ画像信号を伝送する際のビット幅が１０ｂｉｔであるものとする。さらに、デジタルビデオカメラ１０１の画像処理の演算処理精度を１Ｄ−ＬＵＴによるガンマ処理後に出力する画像信号の演算ビット精度とし、それが８ｂｉｔであり値域が０〜２５５であるものとする。
【００３５】
上述の例の場合は、デジタルビデオカメラ１０１の画像処理の演算処理精度よりもカラーグレーディング装置１０２の画像処理の演算処理精度の方が高い。かつデジタルビデオカメラ１０１の画像処理の演算処理精度よりもデジタルビデオカメラ１０１からカラーグレーディング装置１０２へ画像信号を伝送する際のビット幅の方が高い。したがって、条件を満たすため、Ｓ５０２からＳ５０３へ進む。
【００３６】
Ｓ５０３では、信号変換部３０６は、色補正部３０４のマトリクス処理により負の値が発生したか否かを判定する。判定方法については、マトリクス処理前の画像信号のとり得る値域とマトリクス処理の係数とに基づいて負の値が発生したか否かを判定してもよく、マトリクス処理後の画像信号の画素値を直接参照することによって判定してもよい。この判定の結果、負の値が発生した場合はＳ５０４へ進み、負の値が発生していない場合はＳ５０５へ進む。
【００３７】
負の値が発生した場合のＳ５０４においては、信号変換部３０６は、色補正部３０４から出力された画像信号に対してオフセットを付加する。付加するオフセットの値は、デジタルビデオカメラ１０１の画像処理の演算処理精度ａと、カラーグレーディング装置１０２側の演算処理精度ｂとに基づいて決定する。例えば、２b-1から２a-1を減算した値をオフセットの値とする。カラーグレーディング装置１０２の画像処理の演算処理精度が１０ｂｉｔ、デジタルビデオカメラ１０１の画像処理の演算処理精度が８ｂｉｔの場合は、オフセットの値は５１２−１２８＝３８４となる。
【００３８】
この演算により、マトリクス処理前の画像信号の値域の中央値が、カラーグレーディング装置１０２へ伝送する画像信号の中央値と一致するようになる。図６（ａ）には、オフセットが付加された場合の画像信号の変換処理を示している。このようにオフセットを付加することにより、マトリクス処理において−３８４より小さい値、または６３９より大きい値が出ない限り、マトリクス処理後の画像信号値を損失なく伝送することができる。
【００３９】
このようにマトリクス処理により画像信号に負の値が発生したとしても、オフセットを加算することによりｕｎｓｉｇｎｅｄの画像信号として情報を失わずにカラーグレーディング装置１０２へ伝送することができる。なお、オフセット値は、マトリクス処理の係数、またはマトリクス処理後の画像信号の最小値と最大値との差（値域）から決定してもよい。この場合もオフセットが付加された画像信号をカラーグレーディング装置１０２へ伝送する。また、画像信号に付加するオフセット値は、撮影を開始する時、画像信号の１フレーム毎、オフセットを付加する前までの画像処理のパラメータが変化したとき等の任意のタイミングで決定すればよい。
【００４０】
最後のＳ５０７においては、通信部３０５は、信号変換部３０６により付加されたオフセットの値の情報と画像信号のレンジ情報とをカラーグレーディング装置１０２へ送信する。これらの情報は、例えば、オフセットの値または画像信号のレンジ情報が変化した場合に送信してもよい。ここでのレンジ情報とは、例えば図６（ａ）に示すように、マトリクス処理前の画像信号の０％、１００％の位置が、出力する画像信号のどこの値に対応するかという情報である。
【００４１】
前述したように、Ｓ５０３の判定の結果、ガンマ処理を経てマトリクス処理を行い、負の値が発生しなかった場合は、Ｓ５０５へ進む。Ｓ５０５においては、オフセットを付加せずにカラーグレーディング装置１０２へ画像信号を伝送することとなる。これにより、Ｓ５０７においては、通信部３０５は、オフセットの値が０であるという情報と画像信号のレンジ情報とをカラーグレーディング装置１０２へ送信する。
【００４２】
次に、Ｓ５０２からＳ５０６に移行する場合の具体例について説明する。例えば、カラーグレーディング装置１０２の画像処理の演算処理精度が８ｂｉｔで最大値が２５５であり、デジタルビデオカメラ１０１の画像処理の演算処理精度が８ｂｉｔで最大値が２５５であるものとする。さらに、デジタルビデオカメラ１０１からカラーグレーディング装置１０２へ画像信号を伝送する際のビット幅が８ｂｉｔであるものとする。この場合は、Ｓ５０２からＳ５０６へ進む。そして、Ｓ５０６においては、出力する画像信号が伝送ビット幅に収まるように、信号変換部３０６は、例えば図６（ｂ）に示すようなクリップ処理、または図６（ｃ）に示すような圧縮処理を行う。そして、信号変換部３０６は、クリップ処理または圧縮処理がなされた画像信号をカラーグレーディング装置１０２へ送信する。その後、Ｓ５０７において、通信部３０５は、画像信号のレンジ情報をカラーグレーディング装置１０２へ送信する。
【００４３】
次に、カラーグレーディング装置１０２側の処理について説明する。
図７は、本実施形態に係るカラーグレーディング装置１０２の通信部４０１及び信号変換部４０２による処理手順の一例を示すフローチャートである。
まず、Ｓ７０１において、信号変換部４０２は、デジタルビデオカメラ１０１から画像信号を受信するまで待機する。画像信号を受信すると、続いてＳ７０２において、通信部４０１は、デジタルビデオカメラ１０１からオフセットの値の情報及びレンジ情報を受信するまで待機する。
【００４４】
そして、オフセットの値の情報及びレンジ情報を受信すると、次のＳ７０３において、信号変換部４０２は、受信した画像信号からオフセットを減算した画像信号に変換する。例えば、図８（ａ）に示すようなオフセットが付加された画像信号からその分のオフセットを減算し、図８（ｂ）に示すような画像信号に変換する。
【００４５】
次にＳ７０４において、信号変換部４０２は、通信部４０１で受信したレンジ情報に基づき、画像信号をレンジ変換する。レンジ変換は、例えば図９に示すように、ＩＤＴ処理部４０３で行うデガンマ処理の入力信号の基準となるレンジの０％、１００％が図８（ｂ）に示す画像信号のどの値に対応するかを考慮して行う。これにより、画像信号をＩＤＴ処理部４０３で行うデガンマ処理に対応させることができる。そして、Ｓ７０５において、信号変換部４０２は、レンジ変換された画像信号をＩＤＴ処理部４０３に送り、処理を終了する。以下、ＩＤＴ処理部４０３、ＬＭＴ処理部４０５、ＲＲＴ変換部４０６、及びＯＤＴ変換部４０７による処理を経て、モニタ１０３に画像が表示される。
【００４６】
以上のように本実施形態によれば、カラーグレーディング装置１０２側の画像信号の演算精度が高く、画像信号の伝送ビット幅も十分にある場合において、情報の損失を避けるような画像信号の伝送が可能となる。これにより、色の情報が失われずに仮カラーグレーディングを行うことができる。
【００４７】
（その他の実施形態）
本実施形態では一例としてデジタルビデオカメラ、カラーグレーディング装置、及びモニタの３つの機器の構成で説明したが、構成をカラーグレーディング装置以外の後段の画像処理装置に置き換えても本発明は有効である。また、本発明は上記以外にも実施形態に限定されることなく、本発明の趣旨を逸脱しない範囲において、種々の改良並びに設計の変更を行ってもよい。
【００４８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４９】
３０５  通信部
３０６  信号変換部
【図１】
2015126448.tif 000003
【図２】
2015126448.tif 000004
【図３】
2015126448.tif 000005
【図４】
2015126448.tif 000006
【図５】
2015126448.tif 000007
【図６】
2015126448.tif 000008
【図７】
2015126448.tif 000009
【図８】
2015126448.tif 000010
【図９】
2015126448.tif 000011